(57)【要約】  【課題】構造が単純、コンパクトで、加工・組立てが簡単で、現場での取付けが容易にできる竪樋・排水管トラップ構造を提供することを目的とする。  【解決手段】竪樋・排水管トラップ構造２０は、竪樋２１の下端部２１ａと排水管２２の上端部２２ａのそれぞれに沿ってその間を蔽囲するトラップカバー２３を設け、トラップカバー２３の下端部２３ｂの壁内面２５に排水挿入管２４を固着する。トラップカバー２３の中間に中仕切り板２６が形成されこの中仕切り板２６の外縁２７の略全周に雨水孔２８を設け、雨水孔２８をトラップカバー２３の壁内面２５とによって包含する短片３０が中仕切り板２６の下面２６ａに設ける。短片３０の下端部３０ａを内包する水溜部３１がトラップカバー２３の壁内面２５に立設される。トラップカバー２３を上トラップカバー２０ａと下トラップカバー２０ｂとに分割する分割部３３が設けられる。【選択図】  図１
2006299643.tif 000002
【特許請求の範囲】
【請求項１】
竪樋と排水管との間に設けられる竪樋・排水管トラップ構造であって、
前記竪樋の下端部と前記排水管の上端部のそれぞれに沿ってこの間を蔽囲する筒形形状のトラップカバーの上端部に前記竪樋が挿入接続するとともに前記トラップカバーの下端部には前記排水管に挿入接続される筒形形状の排水挿入管が前記トラップカバーの壁内面に水密的に固着し、
前記トラップカバーの上下方向の中間部に前記トラップカバーの断面を塞ぐ中仕切り板が形成され、
この中仕切り板の外縁略全周に前記トラップカバーの壁内面に沿って平行に雨水孔が形成されるとともに、前記雨水孔を前記トラップカバーの壁内面とによって包含する短片が前記中仕切り板の下面に前記トラップカバーの壁内面と平行に突出して設けられ、
前記中仕切り板の下方に前記短片の下端部を内包する（トラップとしての）水溜部が前記トラップカバーの壁内面に立設（立設部）されることを特徴とする竪樋・排水管トラップ構造。
【請求項２】
請求項1に記載の竪樋・排水管トラップ構造であって、前記中仕切り板と前記立設部との間に、前記トラップカバーを上トラップカバーと下トラップカバーとに分割する分割部を設け、前記上トラップカバーと前記下トラップカバーが嵌合によって固着されることを特徴とする竪樋・排水管トラップ構造。
【請求項３】
請求項1に記載の竪樋・排水管トラップ構造であって、前記トラップカバーは樹脂成形で一体的に形成されることを特徴とする竪樋・排水管トラップ構造。
【請求項４】
請求項２に記載の竪樋・排水管トラップ構造であって、前記上トラップカバーと下トラップカバーは樹脂成形でそれぞれ一体的に形成されることを特徴とする竪樋・排水管トラップ構造。
【発明の詳細な説明】
【技術分野】
【０００１】
本発明は雨樋としての竪樋と排水管との接続構造に関し、詳しくは、排水管からの異臭を竪樋に侵入させないための技術に関する。
【背景技術】
【０００２】
従来、建物の屋根からの雨水は竪樋を経て地下埋設等の排水管に排水されるが、竪樋と排水管との間のシール性が十分でない場合に、排水管から竪樋へ臭気が流れ込み、竪樋を上昇した臭気が建物内に侵入して不快感を与えるという問題があった。  
さらに、臭気にはアンモニア等が含まれるので、雨樋（竪樋、軒樋）が金属性材料を含む場合にアンモニア等によって腐食（侵食）することがあった。
【０００３】
このような排水管から竪樋への臭気の流れ込みを解決するための従来技術として特許文献１に掲載の内容が知られている。
【０００４】
図５に示すように、従来の竪樋・排水管トラップ構造は、竪樋３に挿入接続されるトラップカバー本体１と排水管４を覆うスカート部２とからなるトラップカバー５のスカート部２の内部に竪樋３と排水管４との間を封水するトラップＴが設置される。
【０００５】
トラップＴは、短管部６と、この短管部６の上方に設けるキャップ８と、短管部６に取付けられる雨水受け部７とで構成される。キャップ８は短管部６の上端６ａを覆うように被せ、キャップ８の下端部８ａが雨水受け部７の底面９と短管部６の上端６ａ（封水面１０）との中間位置になるように部材１１を介して短管部６に取付けられる。
【０００６】
矢印で示すように、竪樋３から流れ込む雨水は最初に雨水受け部７の中に溜まる。さらに雨水が増加して雨水受け部７の上端を越えると、短管部６の上端６ａから短管部６を経て排水管４に流れる。
【０００７】
このように雨水受け部７内の雨水の水位（封水面１０）は短管部６の上端６ａに位置し、この雨水受け部７内の雨水によって竪樋３内の空間と排水管４内の空間とは完全に遮断することができるので、排水管４から竪樋３への臭気の侵入がなくなる。
【特許文献１】特開平８−１５８５６３号公報
【発明の開示】
【発明が解決しようとする課題】
【０００８】
ところが、上記の竪樋・排水管トラップ構造では、トラップカバー本体１に前記竪樋３を挿入接続する長さが、竪樋３と排水管４との間を覆うスカート部２に比べてかなり長いので、現場でトラップカバー５を取付ける際に手間が掛かるという問題があった。
【０００９】
さらに、雨水の流れが概ね順次内側に向かって流れる構成のトラップＴであるため、トラップカバー本体１から、スカート部２、雨水受け部７、キャップ８、短管部６に至る構造が複雑化するために加工、組立てが難しいという問題があった。
【００１０】
そこで、本発明はかかる従来技術の問題に鑑みなされたものであって、構造が単純で、且つコンパクトな構造にし、現場での取付けが容易にできる竪樋・排水管トラップ構造を提供することを目的とする。
【００１１】
また、加工・組立てが簡単な竪樋・排水管トラップ構造を提供することを目的とする。
【課題を解決するための手段】
【００１２】
請求項１の発明は、竪樋と排水管との間に設けられる竪樋・排水管トラップ構造であって、前記竪樋の下端部と前記排水管の上端部のそれぞれに沿ってこの間を蔽囲する筒形形状のトラップカバーの上端部に前記竪樋が挿入接続するとともに前記トラップカバーの下端部には前記排水管に挿入接続される筒形形状の排水挿入管が前記トラップカバーの壁内面に水密的に固着し、前記トラップカバーの上下方向の中間部に前記トラップカバーの断面を塞ぐ中仕切り板が形成され、この中仕切り板の外縁略全周に前記トラップカバーの壁内面に沿って平行に雨水孔が形成されるとともに、前記雨水孔を前記トラップカバーの壁内面とによって包含する短片が前記中仕切り板の下面に前記トラップカバーの壁内面と平行に突出して設けられ、前記中仕切り板の下方に前記短片の下端部を内包する（トラップとしての）水溜部が前記トラップカバーの壁内面に立設（立設部）されることを特徴としている。
【００１３】
この竪樋・排水管トラップ構造であれば、竪樋と排水管との間に設けられて前記竪樋の下端部と前記排水管の上端部のそれぞれに沿ってこの間を蔽囲する筒形形状のトラップカバーからなるので、このトラップカバーの上部と下部の幅は前期竪樋と前記排水管のそれぞれの幅と略同じ幅で構成されるのでコンパクトな構造にできる。
【００１４】
請求項２の発明は、請求項1に記載の竪樋・排水管トラップ構造であって、前記中仕切り板と前記立設部との間に、前記トラップカバーを上トラップカバーと下トラップカバーとに分割する分割部を設け、前記上トラップカバーと前記下トラップカバーが嵌合によって固着されることを特徴としている。
【００１５】
この竪樋・排水管トラップ構造であれば、前記トラップカバーを前記分割部によって上トラップカバーと下トラップカバーとに分割形成した後で互いを嵌合によって固着できる。
【００１６】
請求項３の発明は、請求項1に記載の竪樋・排水管トラップ構造であって、前記トラップカバーは樹脂成形で一体的に形成されることを特徴としている。
【００１７】
この竪樋・排水管トラップ構造であれば、前記トラップカバー又は前記上トラップカバーと下トラップカバーは樹脂成形で一体的に形成されるので、組立て時の寸法や位置合わせの必要がなくなる。
【００１８】
請求項４の発明は、請求項２に記載の竪樋・排水管トラップ構造であって、前記上トラップカバーと下トラップカバーは樹脂成形でそれぞれ一体的に形成されることを特徴としている。
【００１９】
この竪樋・排水管トラップ構造であれば、前記上トラップカバーと下トラップカバーが樹脂成形でそれぞれ一体的に形成されるので、組立て時の寸法や位置合わせの必要がなくなる。
【発明の効果】
【００２０】
請求項１記載の発明によれば、前記トラップカバーの上部と下部の幅が前期竪樋と前記排水管のそれぞれの幅と略同じ幅で構成されるのでコンパクトな構造になり現場における組立て作業が容易にできる。
【００２１】
また、前記中仕切り板の下方に前記短片の下端部を内包する（トラップとしての）水溜部が前記トラップカバーの壁内面にコンパクトな構造で形成されるとともに、この水溜部によって封水効果が得られる。
【００２２】
請求項２記載の発明によれば、この竪樋・排水管トラップ構造であれば、前記トラップカバーを前記分割部によって上トラップカバーと下トラップカバーとに分割できるので、それぞれの構造を単純且つコンパクト化できるので加工、組立てが容易である。
【００２３】
このため、上トラップカバーと下トラップカバーをそれぞれ別々に加工、組立てした後で、互いを嵌合によって容易に固着できる。
【００２４】
請求項３記載の発明によれば、前記トラップカバーは樹脂成形で一体的に形成されるので、組立て時の寸法や位置合わせの必要がなくなり加工が容易になる。
【００２５】
請求項４記載の発明によれば、前記上トラップカバーと下トラップカバーは樹脂成形で一体的に形成されるので、組立て時の寸法や位置合わせの必要がなくなるので加工が容易になり、上トラップカバーと下トラップカバーをそれぞれ別々に加工した後に互いを嵌合によって確実且つ容易に組立てることができる。
【発明を実施するための最良の形態】
【００２６】
＜本発明の第１の実施形態＞
以下に、本発明の第１の実施形態を図１〜図３に基づいて説明する。
【００２７】
＜竪樋・排水管トラップ構造の構成＞  
図1、図２に示すように、本発明の竪樋・排水管トラップ構造２０は、前記竪樋２１の下端部２１ａと前記排水管２２の上端部２２ａのそれぞれに沿ってこの間を蔽囲する筒形形状のトラップカバー２３が設けられ、トラップカバー２３の下端部２０ｃが地面に当接して設置される。
【００２８】
そして、このトラップカバー２３の上端部２３ａに前記竪樋２１が挿入接続し、前記トラップカバーの下端部２３ｂには前記排水管２２に挿入接続するための筒形形状の排水挿入管２４が前記トラップカバー２３の壁内面２５の位置３１ａに水密的に固着される。
【００２９】
ここで、前記トラップカバー２３の筒形形状は、一般的に前記竪樋２１の直径よりも下流側の前記排水管２２の直径のほうが大きいので、前記トラップカバー２３は下膨れの筒形形状に形成される。
【００３０】
前記トラップカバー２３の上下方向の中間部には、前記トラップカバーの断面を塞ぐ中仕切り板２６が形成される。この中仕切り板２６の外縁２７の略全周には前記トラップカバー２３の壁内面２５に沿って平行に雨水孔２８が幅Ｓ、弧長Ｔで６箇所設けられ、前記中仕切り板２６の中心部としての封水蓋３２は前記雨水孔２８間のリブ３３ａを介して前記トラップカバー２３の壁内面２５に固着される。
【００３１】
また、前記雨水孔２８を前記トラップカバー２３の壁内面２５とによって包含する短片３０が前記中仕切り板２６の下面２６ａに前記トラップカバー２３の壁内面２５と平行に突出して設けられる。
【００３２】
前記中仕切り板２６の下方には、前記短片３０の下端部３０ａを内包する（トラップとしての）水溜部３１が前記トラップカバー２３の壁内面２５の立設部３１ａに立設される。なお、上記排水挿入管２４が前記トラップカバー２３の壁内面２５に水密的に固着される位置３１ａとこの立設部３１ａとは同じ位置である。
【００３３】
さらに、前記中仕切り板２６と、前記水溜部３１が前記トラップカバー２３の壁内面２５に立設される立設部３１ａとの間に、前記トラップカバー２３を上トラップカバー２０ａと下トラップカバー２０ｂとに分割する分割部３３が設けられる。
【００３４】
図３に示すように、前記分割部３３においては、上トラップカバー２０ａと下トラップカバー２０ｂの互いの先端部にフック状の嵌合部３４が形成され、一方のフック形状の凸部３４ａの幅Ｑ１が他方のフック形状の凹部３４ｂへ入り口幅Ｑ２を乗り越えて確実に嵌合できるように、Ｑ１＞Ｑ２の関係に形成される。
【００３５】
前記上トラップカバー２０ａと下トラップカバー２０ｂは軽量化や耐腐食性を考慮して例えば硬質塩化ビニール樹脂等の合成樹脂による樹脂成形でそれぞれが一体的に形成され、前記上トラップカバー２０ａと前記下トラップカバー２０ｂが嵌合して一体化される。なお、嵌合部３４には必要に応じて接着剤が用いられる。
【００３６】
＜竪樋・排水管トラップ構造の作用＞
前記トラップカバー２３が前記竪樋２１と前記排水管２２のそれぞれに沿うように形成されるので、コンパクトな構成となり現場における組立てが容易にできる。
【００３７】
また、前記トラップカバー２３に前記竪樋２１を挿入接続する領域を長くする必要がないので現場での取付けが容易にできる。
【００３８】
前記中仕切り板２６の下方に前記短片３０の下端部３０ａを内包する（トラップとしての）水溜部３１が設けられて封水効果が得られるため排水管２２からの臭気が竪樋２１に逆流することがなくなる。
【００３９】
そのため、竪樋２１が金属性材料を含む場合でもアンモニア等によって腐食（侵食）することがなくなる。
【００４０】
前記トラップカバー２３を前記分割部３３によって上トラップカバー２０ａと下トラップカバー２０ｂとに分割できるので、それぞれの構造が単純でコンパクトとなるので加工、組立てが容易にできる。
【００４１】
上トラップカバー２０ａと下トラップカバー２０ｂは前記分割部３３の嵌合部３４によって容易且つ確実に嵌合できる。
【００４２】
前記上トラップカバー２０ａと下トラップカバー２０ｂは樹脂成形で一体的に形成されるので、組立て時の寸法や位置合わせの必要がなくなるので容易に製作ができる。
【００４３】
＜本発明の第２の実施形態＞
図４に示すように、前記分割部３３の嵌合部３４において、上トラップカバー２０ａと下トラップカバー２０ｂの互いの先端を厚さ略半分に削って平行な凸形状３４ｃとして、その削られた面３５で互いが確実に嵌合できるように２組の面３５の隙間Ｑ３＝０（ゼロ）に形成される。
【００４４】
前記上トラップカバー２０ａと下トラップカバー２０ｂは軽量化や耐腐食性を考慮して例えば硬質塩化ビニール樹脂等の合成樹脂による樹脂成形でそれぞれが一体的に形成され、前記上トラップカバー２０ａと前記下トラップカバー２０ｂが嵌合して一体化される。なお、嵌合部３４には必要に応じて接着剤が用いられる。
【００４５】
以上、本発明の実施形態を図面に基づいて説明したが、上記の実施例はいずれも本発明の一例を示したものであり、本発明はこれらに限定されるべきでないということはいうまでもない。
【００４６】
前記トラップカバー２０は、前記上トラップカバー２０ａと下トラップカバー２０ｂに分割成形するかわりに最初から一体成形することも可能である。
【図面の簡単な説明】
【００４７】
【図１】本発明の第１の実施形態における、竪樋・排水管トラップ構造を示す側面断面図である。
【図２】本発明の第１の実施形態における、図１のＡ−Ａ断面図である。
【図３】本発明の第１の実施形態における、分割部３３の詳細側面断面図である。
【図４】本発明の第２の実施形態における、分割部３３の詳細側面断面図である。
【図５】従来例における、竪樋・排水管トラップ構造を示す側面断面図である。
【符号の説明】
【００４８】
２０  竪樋・排水管トラップ構造
２０ａ  上トラップカバー
２０ｂ  下トラップカバー
２１  竪樋
２１ａ  下端部
２２  排水管
２２ａ  上端部
２３  トラップカバー
２３ｂ  下端部
２４  排水挿入管
２５  壁内面    
２６  中仕切り板
２６ａ  下面
２８  雨水孔
３０  短片
３０ａ  下端部
３１  水溜部
３３  分割部
【図１】
2006299643.tif 000003
【図２】
2006299643.tif 000004
【図３】
2006299643.tif 000005
【図４】
2006299643.tif 000006
【図５】
2006299643.tif 000007